(57)【要約】【課題】冷蔵庫の排水システム及び排水システムを備えた冷蔵庫を提供する。【解決手段】本発明は、冷蔵庫の排水システム及び冷蔵庫に関する。冷蔵庫の排水システムは、冷蔵室の除霜水を排出することに用いられる冷蔵室排水ユニット（１）と、冷凍室の除霜水を排出することに用いられる冷凍室排水ユニット（２）と、前記冷凍室排水ユニットの付近で前記冷蔵室排水ユニットと前記冷凍室排水ユニットを一体化して組立体を構成する一体化用治具（３）と、を備え、前記排水システムは、一体化した組立体として前記冷蔵庫に取り付けられる。【選択図】図１
2020193798.tif 000002
【特許請求の範囲】
【請求項１】
冷蔵庫の排水システムであって、
冷蔵室の除霜水を排出することに用いられる冷蔵室排水ユニットと、
冷凍室の除霜水を排出することに用いられる冷凍室排水ユニットと、
前記冷凍室排水ユニットの付近で前記冷蔵室排水ユニットと前記冷凍室排水ユニットを一体化して組立体を構成する一体化用治具と、を備え、
前記排水システムは、一体化した組立体として前記冷蔵庫に取り付けられることを特徴とする冷蔵庫の排水システム。
【請求項２】
前記冷蔵室排水ユニットは、冷蔵室排水管を備え、前記冷蔵室排水管は、一端が前記除霜水が前記冷蔵室から流出するための冷蔵室水流出口に接続されて前記除霜水を導出し、他端が前記一体化用治具に接続され、
前記冷凍室排水ユニットは、冷凍室排水管を備え、前記冷凍室排水管は、一端が前記除霜水が前記冷凍室から流出するための冷凍室水流出口に接続されて前記除霜水を導出し、他端が前記一体化用治具に接続されることを特徴とする請求項１に記載の冷蔵庫の排水システム。
【請求項３】
前記一体化用治具は、
前記冷蔵室排水管及び前記冷凍室排水管のそれぞれの他端を取り付けることに用いられる治具本体部と、
前記治具本体部に対して回転可能な回転可能部と、を含み、
前記一体化用治具は、前記回転可能部が前記治具本体部に対して前記治具本体部と折り畳まれる位置に回転する折畳み状態、及び前記回転可能部が前記治具本体部に対して前記治具本体部と略面一になる位置に回転する展開状態に設定可能であり、
前記治具本体部は、複数のロックフックが形成され、
前記回転可能部が前記折畳み状態において前記複数のロックフックと対向する部位には、それぞれ複数のロック孔が形成され、
前記折畳み状態において、前記複数のロックフックは、それぞれ前記複数のロック孔にかかってロックされることにより、前記冷蔵室排水管及び前記冷凍室排水管のそれぞれの他端を前記一体化用治具に固定することを特徴とする請求項２に記載の冷蔵庫の排水システム。
【請求項４】
前記治具本体部には、一方向に沿って冷蔵室排水管の他端側挿入口と冷凍室排水管の他端側挿入口が並列に形成され、
前記冷蔵室排水管の他端が前記冷蔵室排水管の他端側挿入口に挿入され、
前記冷凍室排水管の他端が前記冷凍室排水管の他端側挿入口に挿入されることを特徴とする請求項３に記載の冷蔵庫の排水システム。
【請求項５】
前記回転可能部の前記一方向に平行な外辺縁のうち、前記冷蔵室排水管の他端側挿入口及び前記冷凍室排水管の他端側挿入口と対向する位置がそれぞれ切り欠かれて切欠きが形成され、
前記折畳み状態において、前記冷蔵室排水管及び前記冷凍室排水管のそれぞれの他端がそれぞれ前記切欠き内に位置することを特徴とする請求項４に記載の冷蔵庫の排水システム。
【請求項６】
前記冷蔵室排水ユニットは、冷蔵室排水管取付部を備え、前記冷蔵室排水管取付部の中央部には冷蔵室排水管の一端側挿入口が形成され、且つ、前記冷蔵室排水管の一端側挿入口の周囲には少なくとも２つの第１取付孔が所定の間隔で形成され、
前記冷蔵室排水管取付部は、前記第１取付孔にねじを挿通することによって前記冷蔵室水流出口に固定され、
前記冷蔵室排水管の一端は、前記冷蔵室排水管の一端側挿入口に挿入されて係止されることを特徴とする請求項４に記載の冷蔵庫の排水システム。
【請求項７】
前記冷凍室排水ユニットは、冷凍室排水管取付部を備え、前記冷凍室排水管取付部には所定の方向の両側に突出するフランジ部が形成され、２つのフランジ部にはそれぞれ第２取付孔が形成され、且つ、２つのフランジ部の間には冷凍室排水管の他端側挿入口が形成され、
前記冷凍室排水管取付部は、前記第２取付孔にねじを挿通することで前記冷凍室水流出口に固定され、
前記冷凍室排水管の一端は、前記冷凍室排水管の一端側挿入口に挿入されて係止されることを特徴とする請求項６に記載の冷蔵庫の排水システム。
【請求項８】
排水システムが冷蔵庫に取り付けられている状態において、前記所定の方向は、前記一方向と一致し、一方のフランジ部は、前記一体化用治具と上下方向において重なり、他方のフランジ部は、前記他方のフランジ部に形成された第２取付孔が前記一体化用治具と上下方向において重ならないように前記一体化用治具よりも突出して形成されることを特徴とする請求項７に記載の冷蔵庫の排水システム。
【請求項９】
前記治具本体部は、前記冷蔵室排水管の他端側挿入口と前記冷凍室排水管の他端側挿入口との間において、前記一方のフランジ部と対向する部位には第１取り付け工具挿通用開口が設けられ、
前記回転可能部が折畳み状態において前記一方のフランジ部と対向する部位には、取り付け工具挿通用開口に対応する形状の第２取り付け工具挿通用開口が設けられることを特徴とする請求項７に記載の冷蔵庫の排水システム。
【請求項１０】
前記一方のフランジ部は、前記冷蔵室排水管と上下方向において重ならないことを特徴とする請求項７に記載の冷蔵庫の排水システム。
【請求項１１】
前記冷蔵室排水管取付部と前記冷蔵室水流出口との間、前記冷凍室排水管取付部と前記冷凍室水流出口との間、及び前記冷蔵室排水管及び前記冷凍室排水管のそれぞれの他端と前記一体化用治具との間には、それぞれ密封部材が取り付けられることを特徴とする請求項７に記載の冷蔵庫の排水システム。
【請求項１２】
前記冷蔵室排水管は、周囲のほかの取付部材を避けるように屈曲形状に形成され、且つ垂直に延びている部分を備え、少なくとも前記垂直に延びている部分は、内面に突起を有するように形成されることを特徴とする請求項２に記載の冷蔵庫の排水システム。
【請求項１３】
前記一体化用治具の下方には、前記冷蔵室排水管及び前記冷凍室排水管から排出される水を受けてドレンパンへガイドすることに用いられる排水受けガイド部材が取り付けられることを特徴とする請求項１に記載の冷蔵庫の排水システム。
【請求項１４】
前記排水受けガイド部材は、
前記冷蔵室排水管及び前記冷凍室排水管の他端からの排水を受ける排水受け部と、
前記排水受け部に設けられ、前記排水を合流させることに用いられる排水合流口と、
前記排水合流口からの前記排水を下方へガイドすることに用いられる排水ガイド部と、
前記排水ガイド部の下端に形成され、前記排水が流出するための排水流出口と、を含むことを特徴とする請求項１３に記載の冷蔵庫の排水システム。
【請求項１５】
前記排水合流口は、前記排水受け部において、前記排水受け部のほかの部分よりも下方側の位置に位置することを特徴とする請求項１４に記載の冷蔵庫の排水システム。
【請求項１６】
前記排水ガイド部は、排水下流側が上流側よりも細く形成されることを特徴とする請求項１４に記載の冷蔵庫の排水システム。
【請求項１７】
前記排水ガイド部の前記排水流出口には蓋部が取り付けられ、
前記蓋部は、
排出される水の衝撃で前記蓋部を開くことができ、且つ、排水が少なく又は排水がない場合に自身の重力で前記排水流出口を閉鎖した状態に回復できるように構成されることを特徴とする請求項１４に記載の冷蔵庫の排水システム。
【請求項１８】
前記冷凍室排水管の他端のポートには蓋部が取り付けられ、
前記蓋部は、
排出される水の衝撃で前記蓋部を開くことができ、且つ、排水が少なく又は排水がない場合に自身の重力で前記排水流出口を閉鎖した状態に回復できるように構成されることを特徴とする請求項２に記載の冷蔵庫の排水システム。
【請求項１９】
請求項１〜１８のいずれか一項に記載の排水システムを備えることを特徴とする冷蔵庫。
【発明の詳細な説明】
【技術分野】
【０００１】
本発明は、冷蔵庫の排水システム及び排水システムを備えた冷蔵庫に関する。
【背景技術】
【０００２】
冷蔵庫は、排水システムを備え、冷蔵室及び冷凍室中で生じた除霜水をドレンパンに排出し、排出した水をコンプレッサの作動熱で蒸発させる。
【０００３】
従来、マルチエバポレータ型冷蔵庫において、冷蔵室と冷凍室ごとに排水システムが設置され、冷蔵室用の排水システムと冷凍室用の排水システムとが独立してそれぞれの排出水をドレンパンに排出する。
【０００４】
このような構成の場合に、冷蔵室用の排水システムと冷凍室用の排水システムとをそれぞれ単独に組み立てる必要があり、組み立てに手間がかかり、２つの排水システムを必要とするため、排水システムに含まれる部材の点数が多く、配置される密封材料の数量もその分増加し、その結果、構造全体の寸法が大きくなり、発泡液漏れの不具合が生じやすいという問題がある。
【発明の概要】
【発明が解決しようとする課題】
【０００５】
上記問題に鑑みて、本発明は、冷蔵庫の排水システムを提供し、一体化用治具を用いて冷蔵室排水ユニットと冷凍室排水ユニットとを一体化した後、一体化した組立体を冷蔵庫に取り付ける。
【課題を解決するための手段】
【０００６】
本発明の一実施形態は、冷蔵庫の排水システムに関し、冷蔵室の除霜水を排出することに用いられる冷蔵室排水ユニットと、冷凍室の除霜水を排出することに用いられる冷凍室排水ユニットと、前記冷凍室排水ユニットの付近で前記冷蔵室排水ユニットと前記冷凍室排水ユニットとを一体化して組立体を構成する一体化用治具と、を備え、前記排水システムは、一体化した組立体として前記冷蔵庫に取り付けられることを特徴とする。
【０００７】
本発明の別の態様は、冷蔵庫に関し、上記排水システムを備える。
【０００８】
本発明は、上記のような構成によって、一体化用治具を用いて冷蔵室排水ユニットと冷凍室排水ユニットとを一体化した後、一体化した組立体を冷蔵庫に取り付けるため、冷蔵室用の排水システムと冷凍室用の排水システムとをそれぞれ単独に組み立てる必要がなく、組み立てにかかる手間を減少し、また、一体化した排水システムであるため、排水システムに含まれる部材、配置される密封材料の数量を減少させ、構造全体のコンパクト化を実現することができ、且つ発泡液漏れの不具合を改善することができる。
【図面の簡単な説明】
【０００９】
【図１】図１は、本発明の一実施形態の排水システムの全体構造を示す図である。
【図２】図２は、上記一実施形態の排水システムを示す分解模式図である。
【図３】図３は、上記一実施形態の排水システムにおける冷蔵室排水管の一端の取り付けを示す分解図である。
【図４】図４は、上記一実施形態の排水システムにおける冷蔵室排水管の一端の取り付けを示す拡大図である。
【図５】図５は、上記一実施形態の排水システムにおける冷凍室排水管の一端の取り付けを示す分解図である。
【図６】図６は、上記一実施形態の排水システムにおける一体化用治具を示す斜視図であり、一体化用治具が折畳み状態にある図である。
【図７】図７は、上記一実施形態の排水システムにおける一体化用治具の折畳み状態を示す断面図である。
【図８】図８は、上記一実施形態の排水システムにおける一体化用治具を示す斜視図であり、一体化用治具が展開状態にある図である。
【図９】図９は、上記一実施形態の排水システムにおける一体化用治具の展開状態を示す断面図である。
【図１０】図１０は、上記一実施形態の排水システムの一体化用治具のスナップ構造を示す拡大図である。
【図１１Ａ】図１１Ａは、上記一実施形態の排水システムにおける排水受けガイド部材を示す図であり、蓋を開いて排水する状態を示す図である。
【図１１Ｂ】図１１Ｂは、上記一実施形態の排水システムにおける排水受けガイド部材を示す図であり、蓋を閉鎖して排水していない状態を示す図である。
【発明を実施するための形態】
【００１０】
以下、図面を参照して本発明の一実施形態に係る冷蔵庫の排水システムを説明する。
【００１１】
図１は、本発明の一実施形態の排水システムの全体構造を示す図である。図２は、上記一実施形態の排水システムを示す分解模式図である。
【００１２】
一般には、冷蔵庫は、貯蔵室として冷蔵室と冷凍室（ともに図示せず）とを備える。図１に示すように、本発明の一実施形態の冷蔵庫の排水システムは、一般的に、冷蔵室の除霜水を排出することに用いられる冷蔵室排水ユニット１と、冷凍室の除霜水を排出することに用いられる冷凍室排水ユニット２と、冷凍室排水ユニットの付近で冷蔵室排水ユニットと冷凍室排水ユニットを一体化して組立体を構成する一体化用治具３と、を備え、排水システムは、一体化した組立体として冷蔵庫に取り付けられる。
【００１３】
また、一体化用治具３の下方には、冷蔵室及び冷凍室からの排水を受けてドレンパン８へガイドするための排水受けガイド部材６が取り付けられる。排水は、上記排水受けガイド部材６を経由して冷蔵庫のコンプレッサ室（図示せず）内に設置されたドレンパン８にガイドされ、更に、排水はコンプレッサの作動熱で蒸発する。
【００１４】
以下、図面を参照してそれぞれ本実施形態の排水システムの冷蔵室排水ユニット１、冷凍室排水ユニット２及び一体化用治具３の具体的な構造を詳細に説明する。
【００１５】
先ず、本実施形態の排水システムの冷蔵室排水ユニット１の構成を説明する。
【００１６】
図１及び図２に示すように、冷蔵室排水ユニット１は、冷蔵室排水管１１を備え、上記冷蔵室排水管の一端（図中の上端）１１ａは、除霜水が冷蔵室から流出するための冷蔵室水流出口１０に接続されて除霜水を導出し、他端１１ｂ（図中の下端）は、一体化用治具３に接続される。
【００１７】
また、図２、図３及び図４に示すように、本実施形態の冷蔵室排水ユニット１は、冷蔵室排水管取付部１２を備え、上記冷蔵室排水管取付部１２の中央部には冷蔵室排水管の一端側挿入口１３が形成され、上記冷蔵室排水管の一端側挿入口１３の周囲には少なくとも２つの第１取付孔１４が所定の間隔で形成されている。図３は、１８０°の間隔で２つの第１取付孔１４が形成されることを示し、例えば、１８０°の間隔で３つの第１取付孔が形成されてもよく、その数は、必要に応じて適宜設定できる。
【００１８】
更に、図３及び図４に示すように、冷蔵室排水管取付部１２は、第１取付孔１４にねじを挿通することによって冷蔵室水流出口１０に固定され、冷蔵室排水管の一端１１ａは、冷蔵室排水管の一端側挿入口１３に挿入されて係止される。且つ、冷蔵室排水管取付部１２は、ガスケット７を経由して冷蔵室水流出口１０に固定される。図３に示すように、ガスケット７には、冷蔵室排水管取付部１２の冷蔵室排水管の一端側挿入口１３及び第１取付孔１４に対応する開口及び孔が形成される。
【００１９】
本実施形態の冷蔵室排水管１１は、周囲のほかの取付部材を避けるように、屈曲形状に形成される。図１に示すように、より具体的には、冷蔵室排水管１１は、冷蔵室排水管１１の一端１１ａから下方へ傾斜して延びている第１傾斜部分と、冷蔵室排水管１１の他端１１ｂに向かって下り坂となるように傾斜して延びている第２傾斜部分と、第１傾斜部分と第２傾斜部分との間に位置し、垂直に延びている複数の垂直部分と、冷蔵室排水管１１の取り付け空間に応じて屈曲を必要とする部位で、上記冷蔵室排水管取付部と第１傾斜部分との間、第１傾斜部分と垂直部分との間、垂直部分同士の間、垂直部分と第２傾斜部分との間、及び第２傾斜部分と冷凍室排水管取付部との間を接続する複数の屈曲部分と、を備える。
【００２０】
上記のように本実施形態の冷蔵室排水管１１を構成し、第１傾斜部分と第２傾斜部分を下へ傾斜する下り坂状に形成することで、排水を下流側へ流すことができ、水溜まり現象を回避できる。且つ、取り付け空間に応じて屈曲を必要とする部位に複数の屈曲部分が設置されることで、周囲のほかの取付部材を避けることができ、部材間の干渉を回避できる。
【００２１】
また、図１及び図２は、冷蔵室排水管１１の屈曲部分以外が内面に突起を有するように形成された状況を示しているが、垂直部分だけが内面に突起を有するように形成されればよい。これは、垂直部分での水流落下による衝撃力が最も大きく、上記内面の突起を用いて衝撃力を緩衝できるからであり、ほかの部位、特に略水平に延びている部位をこのように設置する必要がないからである。
【００２２】
次に、本実施形態の排水システムの冷凍室排水ユニット２の構成を説明する。
【００２３】
図１及び図２に示すように、冷凍室排水ユニット２は、冷凍室排水管２１を備え、上記冷凍室排水管の一端２１ａ（図中の下端）は、除霜水が冷凍室から流出するための冷凍室水流出口に接続されて除霜水を導出し、他端２１ｂ（図中の下端）は、一体化用治具３に接続される。
【００２４】
なお、図５に示すように、本実施形態の冷凍室排水ユニット２は、冷凍室排水管取付部２２を備える。図６〜図９に示すように、上記冷凍室排水管取付部２２には、所定の方向（図７及び図９中の左右方向）の両側に突出したフランジ部２２ａ、フランジ部２２ｂが形成され、２つのフランジ部には、それぞれ第２取付孔２４ａ、第２取付孔２４ｂが形成され、且つ、２つのフランジ部の間には、冷凍室排水管の一端側挿入口２３が形成される。
【００２５】
図５に示すように、冷凍室排水管取付部２２は、第２取付孔２４ａ、第２取付孔２４ｂにねじを挿通することによって冷凍室水流出口２０に固定され、冷凍室排水管の一端２１ａは、冷凍室排水管の一端側挿入口２３に挿入されて係止される。且つ、冷凍室排水管取付部２２は、ガスケット７を経由して冷凍室水流出口２０に固定され、上記ガスケット７には、冷凍室排水管取付部２２の冷凍室排水管の一端側挿入口２３及び第２取付孔２４ａ、第２取付孔２４ｂに対応する開口及び孔が形成される。
【００２６】
次に、図６〜図１０を参照して本実施形態の排水システムの一体化用治具３の構成を説明する。
【００２７】
図６は、上記一実施形態の排水システムにおける一体化用治具を示す斜視図であり、一体化用治具が折畳み状態にある図である。図７は、上記一実施形態の排水システムにおける一体化用治具の折畳み状態を示す断面図である。図８は、上記一実施形態の排水システムにおける一体化用治具を示す斜視図であり、一体化用治具が展開状態にある図である。図９は、上記一実施形態の排水システムにおける一体化用治具の展開状態を示す断面図である。図１０は、上記一実施形態の排水システムの一体化用治具のスナップ構造を示す拡大図である。
【００２８】
図６及び８に示すように、一体化用治具３は、冷蔵室排水管１１及び冷凍室排水管２１のそれぞれの他端１１ｂ、他端２１ｂが取り付けられる治具本体部４と、治具本体部４に対して回転可能な回転可能部５と、を含む。具体的には、一体化用治具３は、回転可能部５が治具本体部に対して治具本体部と折り畳まれる位置に回転する折畳み状態（図６の状態）、及び回転可能部５が治具本体部に対して前記治具本体部と略面一になる位置に回転する展開状態（図８の状態）に設定可能である。
【００２９】
なお、図６及び図８に示すように、一体化用治具３の治具本体部４には、複数のロックフック４４が形成され、且つ、回転可能部が折畳み状態において複数のロックフックと対向する部位にそれぞれ複数のロック孔５４が形成されており、図１０は、ロックフック４４がロック孔５４にかかってロック孔５４にロックされる様子を示している拡大図である。図６に示される折畳み状態において、複数のロックフック４４がそれぞれ複数のロック孔５４にかかってロックされることにより、一体化用治具３をロック状態に設定し、冷蔵室排水管１１及び冷凍室排水管２１のそれぞれの他端１１ｂ、他端２１ｂを一体化用治具３に固定する。図８に示される展開状態において、ロックフック４４がロック孔５４から分離し、一体化用治具３がロック解除状態にある。
【００３０】
なお、図６及び図８に示すように、一体化用治具３の治具本体部４には、一方向（図７及び図９中の左右方向）に沿って冷蔵室排水管の他端側挿入口４１と冷凍室排水管の他端側挿入口４２が並列に形成され、冷蔵室排水管１１の他端１１ｂは、冷蔵室排水管の他端側挿入口４１に挿入され、冷凍室排水管２１の他端２１ｂは、冷凍室排水管の他端側挿入口４２に挿入される。
【００３１】
なお、図６及び図８に示すように、一体化用治具３において、回転可能部５の一方向に平行な外辺縁（図８中の紙面奥側の辺縁）のうち、冷蔵室排水管の他端側挿入口４１及び冷凍室排水管の他端側挿入口４２と対向する位置がそれぞれ切り欠かれて切欠き５１が形成され、一体化用治具３の折畳み状態において、冷蔵室排水管１１及び冷凍室排水管２１のそれぞれの他端１１ｂ、他端２１ｂは、上記切欠き５１（図６参照）内に位置する。
【００３２】
また、本実施形態において、排水システムが冷蔵庫に取り付けられている状態において、フランジ部２２ａ、フランジ部２２ｂが突出して形成される所定の方向は、冷蔵室排水管の他端側挿入口４１と冷凍室排水管の他端側挿入口４２とが並列に形成される一方向と一致し（いずれも図７及び図９中の左右方向である）、且つ、一方のフランジ部２２ａは、一体化用治具と上下方向において重なり、他方のフランジ部２２ｂは、上記他方のフランジ部に形成された第２取付孔２４ｂが一体化用治具と上下方向において重ならないように一体化用治具３よりも突出して形成される。
【００３３】
また、本実施形態では、上記所定の方向が一方向と一致するように形成されることで、これら２つの方向が一致せずに例えば直交する場合に比べて、構造全体の占有空間を抑制することができる。なお、他方のフランジ部の第２取付孔２４ｂが一体化用治具と上下方向において重ならないように形成されることで、第２取付孔２４ｂへのねじ取り付け等の作業が容易になる。
【００３４】
なお、図６及び図８に示すように、一体化用治具３の治具本体部４には、冷蔵室排水管の他端側挿入口４１と冷凍室排水管の他端側挿入口４２との間において、一方のフランジ部２２ａ、具体的には一方のフランジ部２２ａに形成された第２取付孔２４ｂと対向する部位に、第１取り付け工具挿通用開口４３が設けられている。回転可能部５が折畳み状態において一方のフランジ部２２ａと対向する部位には、第１取り付け工具挿通用開口４３に対応する形状の第２取り付け工具挿通用開口５３が設けられる。第１取り付け工具挿通用開口４３及び第２取り付け工具挿通用開口５３が形成されることで、取り付け工具がこれらの開口を介して、一方のフランジ部２２ａの箇所の第２取付孔２４ａに挿入されたねじの締め付け等を行うことができる。
【００３５】
また、図５及び図６に示すように、冷凍室排水管取付部２２の一方のフランジ部２２ａの第２取付孔２４ａが冷蔵室排水管１１と上下方向において重ならないことで、冷蔵室排水管１１が第２取付孔２４ａへのねじ取付け作業を阻害することを回避できる。
【００３６】
本発明は、上記のように一体化用治具３を構成することにより、回転可能部５を治具本体部４に対して折畳み状態になるまで回転させるだけで、治具本体部４に形成された複数のロックフック４４をそれぞれ回転可能部５の複数のロック孔５４にかけてロックし、それにより簡単な回転及び係止の動作だけで冷蔵室排水管１１及び冷凍室排水管２１のそれぞれの他端１１ｂ、他端２１ｂを一体化用治具３に強固に固定することができ、操作性を大幅に向上させる。
【００３７】
なお、以上において、冷蔵室排水管取付部と冷蔵室水流出口との間、冷凍室排水管取付部と冷凍室水流出口との間にはガスケットが設置された状況を説明したが、冷蔵室排水管及び冷凍室排水管のそれぞれの他端と一体化用治具との間にもそれぞれガスケット７が取り付けられてもよい。
【００３８】
次に、図７、図９、図１１Ａ及び図１１Ｂを参照して本実施形態の排水システムにおける排水受けガイド部材６を説明する。
【００３９】
図７及び図９に示すように、排水受けガイド部材６は、冷蔵室排水管及び冷凍室排水管の他端からの排水を受ける排水受け部６１と、排水受け部６１に設けられ、排水を合流させることに用いられる排水合流口６２と、排水合流口６２からの排水を下方へガイドすることに用いられる排水ガイド部６３と、排水ガイド部６３の下端に形成され、排水が流出するための排水流出口６４と、を含む。
【００４０】
また、図７及び図９に示すように、排水合流口６２は、排水受け部６１における、上記排水受け部のほかの部分よりも下方側の位置に位置することにより、排水の合流に有利である。
【００４１】
また、図７及び図９に示すように、排水ガイド部６３は、排水下流側が上流側よりも細く形成される。このように構成されることで、水流が大きい場合、上記先端が細くなる構造によって水流を緩衝させて、水流の飛散を防止する。
【００４２】
また、図７及び図９に示すように、排水ガイド部６３の排水流出口６４には蓋部６５が取り付けられており、図１１Ａ及び図１１Ｂに示すように、上記蓋部２５、６５は、排出される水の衝撃で上記蓋部を開くことができ、且つ、排水が少なく又は排水がない場合に自身の重力で排水流出口を閉鎖した状態に回復できるように構成される。
【００４３】
なお、冷凍室排水管の他端側のポートにも蓋部２５が取り付けられ、上記蓋部２５は、蓋部６５と同様に構成される。
【００４４】
上記のように蓋部が形成されることで、排水がある場合には、上記蓋部が自動的に開いて排水を流出させ、排水がない場合には、上記蓋が自身の重力で自動的に閉鎖することにより、湿気が冷蔵庫の本体に逆流することを防止することができる。
【００４５】
以上説明された本発明の一実施形態によれば、一体化用治具３を用いて冷蔵室排水ユニット１と冷凍室排水ユニット２とを一体化した後、一体化した組立体を冷蔵庫に取り付けることにより、冷蔵室用の排水システムと冷凍室用の排水システムとをそれぞれ単独に組み立てる必要がなく、組み立てにかかる手間を減少し、また、一体化した排水システムであるため、排水システムに含まれる部材、配置される密封材料の数量を減少させ、構造全体のコンパクト化を実現することができ、且つ発泡液漏れの不具合を改善することができる。
【００４６】
以上、本発明のいくつかの実施形態を説明したが、これらの実施形態は、例として提示されており、発明の範囲を限定するものではない。これらの新たな実施形態は、他の様々な方式で実施することができ、発明の主旨を逸脱せずに様々な省略、置換、変更を行うことができる。これらの実施形態、その変形は、発明の範囲、主旨に含まれ、且つ特許請求の範囲に記載の発明及びその均等の範囲に含まれる。
【符号の説明】
【００４７】
１      冷蔵室排水ユニット
１０    冷蔵室水流出口
１１    冷蔵室排水管
１１ａ  冷蔵室排水管の一端
１１ｂ  冷蔵室排水管の他端
１２    冷蔵室排水管取付部
１３    冷蔵室排水管の一端側挿入口
１４    第１取付孔
２      冷凍室排水ユニット
２０    冷凍室水流出口
２１    冷凍室排水管
２１ａ  冷凍室排水管の一端
２１ｂ  冷凍室排水管の他端
２２    冷凍室排水管取付部
２３    冷凍室排水管の一端側挿入口
２４ａ  第２取付孔
２４ｂ  第２取付孔
２５    蓋部
３      一体化用治具
４      治具本体部
４１    冷蔵室排水管の他端側挿入口
４２    冷凍室排水管の他端側挿入口
４３    第１取り付け工具挿通用開口
４４    ロックフック
５      回転可能部
５１    切欠き
５３    第２取り付け工具挿通用開口
５４    ロック孔
６      排水受けガイド部材
６１    排水受け部
６２    排水合流口
６３    排水ガイド部
６４    排水流出口
６５    蓋部
７      ガスケット
８      ドレンパン
【図１】
2020193798.tif 000003
【図２】
2020193798.tif 000004
【図３】
2020193798.tif 000005
【図４】
2020193798.tif 000006
【図５】
2020193798.tif 000007
【図６】
2020193798.tif 000008
【図７】
2020193798.tif 000009
【図８】
2020193798.tif 000010
【図９】
2020193798.tif 000011
【図１０】
2020193798.tif 000012
【図１１Ａ】
2020193798.tif 000013
【図１１Ｂ】
2020193798.tif 000014
【外国語明細書】
2020193798000001.pdf